(57)【要約】【課題】本発明は、小規模な回路構成でありながら、適切にチャージポンプのステート制御を行うことが可能な電源装置を提供することを目的とする。【解決手段】本発明に係る電源装置は、出力電圧Ｖｏｕｔに応じた帰還電圧Ｖｆｂ（図１ではＶｃ１〜Ｖｃｎの最低電圧）が参照電圧Ｖｒｅｆと一致するように、出力トランジスタＴｒの開閉制御を行うレギュレータ２１と；レギュレータ２１からの入力電圧Ｖｉｎ’を昇圧して出力電圧Ｖｏｕｔを生成するチャージポンプ２２と；出力トランジスタＴｒの制御電圧Ｓａが閾値電圧Ｖｔｈに達したか否かを検出する検出部２３と；検出部２３の比較結果信号Ｓｂに基づいてチャージポンプ２２の昇圧倍率を切り替えるステート制御部２４と；を有して成る構成とされている。【選択図】図１
2007295775.tif 000002
【特許請求の範囲】
【請求項１】
入力電圧の印加端から出力電圧の引出端に至る経路上に直列接続された出力トランジスタを備えて成り、前記出力電圧に応じた帰還電圧が所定の参照電圧と一致するように、前記出力トランジスタの開閉制御を行うレギュレータと；前記レギュレータから入力される電圧を昇圧して前記出力電圧を生成するチャージポンプと；前記出力トランジスタの制御電圧が所定の閾値電圧に達したか否かを検出する検出部と；前記検出部の比較結果に基づいて前記チャージポンプの昇圧倍率を切り替えるステート制御部と；を有して成ることを特徴とする電源装置。
【請求項２】
発光ダイオードの駆動制御を行うＬＥＤ駆動装置であって、前記発光ダイオードに駆動電力を供給する電源手段として、請求項１に記載の電源装置を有して成ることを特徴とするＬＥＤ駆動装置。
【請求項３】
前記帰還電圧は、前記発光ダイオードのカソード端子電圧であることを特徴とする請求項２に記載のＬＥＤ駆動装置。
【請求項４】
前記帰還電圧は、複数並列接続された発光ダイオードの各カソード端子電圧のうち、最も電圧値の低いものであることを特徴とする請求項３に記載のＬＥＤ駆動装置。
【請求項５】
発光ダイオードと、前記発光ダイオードの駆動制御を行うＬＥＤ駆動装置と、前記ＬＥＤ駆動装置に電力を供給する機器電源と、を備えた照明装置であって、前記ＬＥＤ駆動装置として、請求項２〜請求項４のいずれかに記載のＬＥＤ駆動装置を有して成ることを特徴とする照明装置。
【請求項６】
前記機器電源は、バッテリであることを特徴とする請求項５に記載の照明装置。
【請求項７】
表示パネルと、前記表示パネルを照明する照明装置と、を備えた表示装置であって、前記照明装置として、請求項５または請求項６に記載の照明装置を有して成ることを特徴とする表示装置。
【発明の詳細な説明】
【技術分野】
【０００１】
本発明は、入力電圧から所望の出力電圧を生成する電源装置、並びに、これを搭載したＬＥＤ［Light Emitting Diode］駆動装置、照明装置、及び、表示装置に関するものであり、例えば、液晶ディスプレイ用のＬＥＤバックライトシステムに関する。
【背景技術】
【０００２】
図３は、ＬＥＤ駆動装置の一従来例を示すブロック図である。
【０００３】
本図に示すように、従来の一般的なＬＥＤ駆動装置は、入力電圧Ｖｉｎから所望の出力電圧Ｖｏｕｔを得るべく、出力電圧Ｖｏｕｔが帰還入力されるレギュレータ１０１を用いて、入力電圧Ｖｉｎからチャージポンプ１０２の入力電圧Ｖｉｎ’を生成するとともに、第１〜第ｎ検出部１０３−１〜１０３−ｎを用いて、入力電圧Ｖｉｎと出力電圧Ｖｏｕｔとの比を検出し、その検出結果に応じてチャージポンプ１０２のステート制御（昇圧倍率制御）を行う構成とされていた。
【０００４】
以下では、第１〜第２検出部１０３−１〜１０３−２を用いて、チャージポンプ１０２のステートを３段階（１倍昇圧、１．５倍昇圧、２倍昇圧）に順次切り替えていく場合を例に挙げながら、上記従来のステート制御について具体的な説明を行う。
【０００５】
まず、第１検出部１０３−１では、入力電圧Ｖｉｎと出力電圧Ｖｏｕｔとの比が検出され、所望の出力電圧Ｖｏｕｔを得るために、チャージポンプ１０２を１倍昇圧ステートに維持し得る否かの判定が行われる。すなわち、第１検出部１０３−１では、出力電圧Ｖｏｕｔに対する入力電圧Ｖｉｎの比がα（レギュレータ１０１やチャージポンプ１０２の変換効率を鑑みて、α＞１）よりも高いか否かの検出が行われる。そして、出力電圧Ｖｏｕｔに対する入力電圧Ｖｉｎの比がαよりも高ければ、チャージポンプ１０２が１倍昇圧ステートに維持され、逆に、出力電圧Ｖｏｕｔに対する入力電圧Ｖｉｎの比がαよりも低ければ、チャージポンプ１０２が１．５倍昇圧ステートに移行される。
【０００６】
チャージポンプ１０２が１．５倍昇圧ステートに移行された後、第２検出部１０３−２では、入力電圧Ｖｉｎと出力電圧Ｖｏｕｔとの比が検出され、所望の出力電圧Ｖｏｕｔを得るために、チャージポンプ１０２を１．５倍昇圧ステートに維持し得る否かの判定が行われる。すなわち、第２検出部１０３−２では、出力電圧Ｖｏｕｔに対する入力電圧Ｖｉｎの比がβ（＞１／１．５）よりも高いか否かの検出が行われる。そして、出力電圧Ｖｏｕｔに対する入力電圧Ｖｉｎの比がβよりも高ければ、チャージポンプ１０２が１．５倍昇圧ステートに維持され、逆に、出力電圧Ｖｏｕｔに対する入力電圧Ｖｉｎの比がβよりも低ければ、チャージポンプ１０２が２倍昇圧ステートに移行される。
【０００７】
なお、ＬＥＤ駆動装置に関連するその他の従来技術として、例えば、特許文献１には、ＬＥＤのカソード端子電圧を出力電圧調整回路にフィードバックし、所望の出力電圧値を得るＤＣ／ＤＣ昇圧システムが開示・提案されている。
【０００８】
また、特許文献２には、電流鏡で該電流鏡の出力端にカップリングされた複数の並列発光ダイオードを駆動する方法であって、前記電流鏡の制御端の電圧を参照電圧とするステップと、前記電流鏡の入力端の電圧を増強すると共に、前記複数の発光ダイオードの入力端を電圧帰還点として、該電流鏡の入力端と出力端との間の電圧差を固定し定電圧に維持させるステップと、前記電流鏡の出力端の電圧で前記複数の発光ダイオードを駆動するステップと、を備えて成る発光ダイオードの駆動方法が開示・提案されている。
【特許文献１】特開２００４−２２９２９号公報
【特許文献２】特開２００５−３９２１５号公報
【発明の開示】
【発明が解決しようとする課題】
【０００９】
確かに、図３に示した従来構成のＬＥＤ駆動装置であれば、例えば、入力電圧Ｖｉｎの低下（バッテリの消耗など）が生じた場合でも、入力電圧Ｖｉｎから所望の出力電圧Ｖｏｕｔを生成することが可能である。
【００１０】
しかしながら、上記従来構成のＬＥＤ駆動装置は、入力電圧Ｖｉｎと出力電圧Ｖｏｕｔとの比に基づいて、チャージポンプ１０２のステート制御を行う構成とされていたので、チャージポンプ１０２のステート段数を増すほど、第１検出部１０３−１〜第ｎ検出部１０３−ｎも増設せねばならず、回路規模の増大を招く形となっていた。
【００１１】
また、上記従来構成のＬＥＤ駆動装置では、接続されたＬＥＤの順方向降下電圧Ｖｆが少々大きくても、これを支障なく駆動するために、出力電圧Ｖｏｕｔに十分なマージンを与えた上で、レギュレータ１０１の帰還制御、並びに、チャージポンプ１０２のステート制御が行われていた。そのため、上記従来構成のＬＥＤ駆動装置では、先のマージン分だけ、不要に高い出力電圧Ｖｏｕｔが供給されており、効率の低下を招く形となっていた。
【００１２】
なお、特許文献１の従来技術は、ＬＥＤのカソード端子電圧に基づいて昇圧回路の帰還制御を行うことにより、出力電圧Ｖｏｕｔの不要マージンを解消し、効率の向上を実現するための技術ではあるが、昇圧回路がチャージポンプであるとの記載はなく、当然、チャージポンプのステート制御を実現する上で直面する上記の課題（回路規模の増大や効率低下）及びその解決手段についても、何ら示唆・言及されていなかった。
【００１３】
また、特許文献２の従来技術は、ＬＥＤの駆動電圧を生成するための手段として、チャージポンプに代えて電流鏡を用いる構成であり、本願発明とは、その本質的構成を異にするものである。
【００１４】
本発明は、上記の問題点に鑑み、小規模な回路構成でありながら、適切にチャージポンプのステート制御を行うことが可能な電源装置、並びに、これを用いたＬＥＤ駆動装置、照明装置、及び、表示装置を提供することを目的とする。
【課題を解決するための手段】
【００１５】
上記目的を達成するために、本発明に係る電源装置は、入力電圧の印加端から出力電圧の引出端に至る経路上に直列接続された出力トランジスタを備えて成り、前記出力電圧に応じた帰還電圧が所定の参照電圧と一致するように、前記出力トランジスタの開閉制御を行うレギュレータと；前記レギュレータから入力される電圧を昇圧して前記出力電圧を生成するチャージポンプと；前記出力トランジスタの制御電圧が所定の閾値電圧に達したか否かを検出する検出部と；前記検出部の比較結果に基づいて前記チャージポンプの昇圧倍率を切り替えるステート制御部と；を有して成る構成（第１の構成）とされている。
【００１６】
また、本発明に係るＬＥＤ駆動装置は、発光ダイオードの駆動制御を行うＬＥＤ駆動装置であって、前記発光ダイオードに駆動電力を供給する電源手段として、上記第１の構成の電源装置を有して成る構成（第２の構成）とされている。
【００１７】
なお、上記第２の構成のＬＥＤ駆動装置において、前記帰還電圧は、前記発光ダイオードのカソード端子電圧である構成（第３の構成）にするとよい。
【００１８】
また、上記第３の構成のＬＥＤ駆動装置において、前記帰還電圧は、複数並列接続された発光ダイオードの各カソード端子電圧のうち、最も電圧値の低いものである構成（第４の構成）にするとよい。
【００１９】
また、本発明に係る照明装置は、発光ダイオードと、前記発光ダイオードの駆動制御を行うＬＥＤ駆動装置と、前記ＬＥＤ駆動装置に電力を供給する機器電源と、を備えた照明装置であって、前記ＬＥＤ駆動装置として、上記第２〜第４いずれかの構成のＬＥＤ駆動装置を有して成る構成（第５の構成）とされている。
【００２０】
なお、上記第５の構成の照明装置において、前記機器電源は、バッテリである構成（第６の構成）にするとよい。
【００２１】
また、本発明に係る表示装置は、表示パネルと、該表示パネルを照明する照明装置と、を備えた表示装置であって、前記照明装置として、上記第５または第６の構成の照明装置を有して成る構成（第７の構成）とされている。
【発明の効果】
【００２２】
本発明によれば、小規模な回路構成でありながら、適切にチャージポンプのステート制御を行うことが可能な電源装置、並びに、これを用いたＬＥＤ駆動装置、照明装置、及び表示装置を提供することが可能となる。
【発明を実施するための最良の形態】
【００２３】
図１は、本発明に係る表示装置の一実施形態を示すブロック図である。本図のように、本実施形態の表示装置は、機器電源１と、ＬＥＤドライバＩＣ２と、発光部３と、導光路４と、液晶ディスプレイパネル３（以下、ＬＣＤ［Liquid Crystal Display］パネル３と呼ぶ）と、を有して成る透過型の液晶ディスプレイである。
【００２４】
機器電源１は、ＬＥＤドライバＩＣ２を始めとする表示装置各部に対して、電力の供給を行う手段である。なお、機器電源１としては、商用交流電圧を直流電圧に変換する交流／直流コンバータを用いてもよいし、二次電池などのバッテリを用いてもよい。
【００２５】
ＬＥＤドライバＩＣ２は、機器電源１から入力電圧Ｖｉｎの供給を受け、発光部３を構成するＬＥＤ３１〜３ｎの駆動制御を行う手段である。なお、ＬＥＤドライバＩＣ２の構成及び動作については、後ほど詳述する。
【００２６】
発光部３は、複数のＬＥＤ３１〜３ｎを並列接続して成り、発光部３で生成された照明光は、導光路４を介してＬＣＤパネル５を背面照射するバックライトとして用いられる。このように、ＬＥＤをバックライトとして用いる構成であれば、蛍光管等を用いる構成に比べて、省電力、長寿命、低発熱、省スペースといった効果を得ることが可能となる。
【００２７】
なお、発光部３を構成するＬＥＤ３１〜３ｎは、それぞれ、赤、緑、青の発光色を有する３つのＬＥＤ素子を一群として成るものであり、各ＬＥＤ素子の出射光を混合することで、所望の発光色（本実施形態では白色）を有する照明光を生成するものである。このような白色ＬＥＤをバックライトとして用いる構成であれば、蛍光管等を用いる構成に比べて、ＬＣＤパネル５の色再現範囲を広げることが可能となる。
【００２８】
導光路４は、発光部３の照射光を均一に面発光させて、ＬＣＤパネル５全体に導く手段であり、反射板や導光板（表面に特殊な加工が施された透明板）から成る。
【００２９】
ＬＣＤパネル５は、２枚のガラス板の間に液晶を封入し、電圧をかけることによって、前記液晶の分子方向を変え、発光部３から導光路４を介して背面照射される光の透過率を増減させることで像を表示する手段である。なお、ＬＣＤパネル５の描画制御は、不図示のＬＣＤコントローラによって行われる。
【００３０】
続いて、ＬＥＤドライバＩＣ２の構成及び動作について、詳細に説明する。
【００３１】
図１に示すように、ＬＥＤドライバＩＣ２は、レギュレータ２１と、チャージポンプ２２と、検出部２３と、ステート制御部２４と、駆動電流生成部２５と、を有して成る。
【００３２】
レギュレータ２１は、出力トランジスタＴｒ（本実施形態では、Ｐチャネル型電界効果トランジスタ）と、アンプＡＭＰと、を有して成る。トランジスタＴｒのソースは、入力電圧Ｖｉｎの印加端に接続されている。トランジスタＴｒのドレインは、チャージポンプ２２を介して、出力電圧Ｖｏｕｔの引出端に接続されている。トランジスタＴｒのゲートは、アンプＡＭＰの出力端に接続されている。アンプＡＭＰの反転入力端（−）は、参照電圧Ｖｒｅｆの印加端に接続されている。一方、アンプＡＭＰに複数設けられた非反転入力端（＋）は、各々、ＬＥＤ３１〜３ｎのカソード端子電圧Ｖｃ１〜Ｖｃｎが印加される帰還端子に接続されている。
【００３３】
チャージポンプ２２は、電荷転送用スイッチ及び電荷転送用キャパシタ（いずれも不図示）を用いて、レギュレータ２１からの入力電圧Ｖｉｎ’を昇圧し、ＬＥＤ３１〜３ｎのアノードに与えるべき所望の出力電圧Ｖｏｕｔを生成する手段である。なお、本実施形態のチャージポンプ２２は、ステート制御部２４からの指示に応じて、そのステート（昇圧倍率）が複数段階（例えば、１倍昇圧ステート、１．５倍昇圧ステート、２倍昇圧ステート）に可変制御される構成とされている。
【００３４】
検出部２３は、コンパレータＣＭＰを用いて、出力トランジスタＴｒのゲート電圧Ｓａ（アンプＡＭＰの出力電圧）が所定の閾値電圧Ｖｔｈに達したか否かを検出する手段である。コンパレータＣＭＰの非反転入力端（＋）は、出力トランジスタＴｒのゲート（アンプＡＭＰの出力端）に接続されている。コンパレータＣＭＰの反転入力端（−）は、閾値電圧Ｖｔｈの印加端に接続されている。コンパレータＣＭＰの出力端は、ステート制御部２４の比較結果信号入力端に接続されている。
【００３５】
ステート制御部２４は、検出部２３からの比較結果信号Ｓｂに基づいて、チャージポンプ２２のステートを切り替える手段である。
【００３６】
駆動電流生成部２５は、定電流源Ｉ１〜Ｉｎを用いて、ＬＥＤ３１〜３ｎの各駆動電流を個別に調整する手段である。すなわち、ＬＥＤ３１〜３ｎ毎の発光量を制御するためには、定電流源Ｉ１〜Ｉｎの電流値調整を行えばよい。
【００３７】
上記構成から成るＬＥＤドライバＩＣ２におけるチャージポンプ２２のステート制御動作について、先出の図１とともに、図２を参照しながら、詳細に説明する。
【００３８】
図２は、本実施形態のステート制御動作を示すタイミングチャートである。
【００３９】
上記構成から成るＬＥＤドライバＩＣ２において、レギュレータ２１を構成するアンプＡＭＰは、ＬＥＤ３１〜３ｎのカソード端子電圧Ｖｃ１〜Ｖｃｎのうち、最も電圧値の低いものを帰還電圧Ｖｆｂとして選択し、当該帰還電圧Ｖｆｂと所定の参照電圧Ｖｒｅｆとが一致するように、出力トランジスタＴｒのゲート電圧Ｓａを生成する。
【００４０】
より具体的に述べると、上記の帰還電圧Ｖｆｂが参照電圧Ｖｒｅｆよりも高くなれば、アンプＡＭＰは、出力トランジスタＴｒをより閉じるように、ゲート電圧Ｓａをよりハイレベルとし、逆に、帰還電圧Ｖｆｂが参照電圧Ｖｒｅｆよりも低くなれば、出力トランジスタＴｒをより開けるように、ゲート電圧Ｓａをよりローレベルとする。
【００４１】
このように、本実施形態のＬＥＤドライバＩＣ２では、ＬＥＤ３１〜３ｎのカソード端子電圧Ｖｃ１〜Ｖｃｎが帰還入力されるレギュレータ２１を用いて、所望の出力電圧Ｖｏｕｔを得るために必要なチャージポンプ２２の入力電圧Ｖｉｎ’が生成される。
【００４２】
一方、チャージポンプ２２のステートが固定されている状態では、入力電圧Ｖｉｎの低下（例えばバッテリの消耗）が進むにつれて、出力トランジスタＴｒを開けるべく、出力トランジスタＴｒのゲート電圧Ｓａが徐々に低下していく。
【００４３】
そして、ゲート電圧Ｓａが所定の閾値電圧Ｖｔｈを下回ると、検出部２３で生成される検出結果信号Ｓｂの論理（すなわち、コンパレータＣＭＰの出力論理）がハイレベルからローレベルに遷移される形となる。
【００４４】
検出結果信号Ｓｂを監視するステート制御部２４は、検出結果信号Ｓｂのローレベルエッジをトリガとして、出力トランジスタＴｒはすでにフルオン状態（或いは、これに近い状態）であり、現在のチャージポンプ２２のステート（昇圧倍率）では、所望の出力電圧Ｖｏｕｔを得ることができなくなると判断し、チャージポンプ２２に対して、現在のステートから次のステート（例えば、１倍昇圧ステートから１．５倍昇圧ステート）に移行するように指示を送る。
【００４５】
上記指示に応じたチャージポンプ２２のステートアップが完了すると、出力電圧Ｖｏｕｔは上昇し、これに応じてＬＥＤ３１〜３ｎのカソード端子電圧Ｖｃ１〜Ｖｃｎも上昇する。その結果、トランジスタＴｒのゲート電圧Ｓａは、再び閾値電圧Ｖｔｈを上回る形となり、検出部２３の検出結果信号Ｓｂがローレベルからハイレベルに復帰する。
【００４６】
これ以降も、上記と同様の動作により、入力電圧Ｖｉｎから所望の出力電圧Ｖｏｕｔが得られるように、帰還電圧Ｖｆｂと基準電圧Ｖｒｅｆの比較結果に基づいて、レギュレータ２１における出力トランジスタＴｒの開閉制御と、チャージポンプ２２のステート制御と、が協働的に行われる。
【００４７】
なお、図２では、一のステートから次のステートに切り替わる際のステート遷移期間が誇張して描写されているが、これは検出結果信号Ｓｂの論理変遷（トリガエッジ）を明示するためであり、実際のステート遷移は瞬時的に行われるものである。
【００４８】
上記したように、本実施形態のＬＥＤドライバＩＣ２は、ＬＥＤ３１〜３ｎに駆動電力を供給する電源手段として、入力電圧Ｖｉｎの印加端から出力電圧Ｖｏｕｔの引出端に至る経路上に直列接続された出力トランジスタＴｒを備えて成り、出力電圧Ｖｏｕｔに応じた帰還電圧Ｖｆｂ（本実施形態では、カソード端子電圧Ｖｃ１〜Ｖｃｎの最低電圧）が所定の参照電圧Ｖｒｅｆと一致するように、出力トランジスタＴｒの開閉制御を行うレギュレータ２１と；レギュレータ２１から入力される電圧Ｖｉｎ’を昇圧して出力電圧Ｖｏｕｔを生成するチャージポンプ２２と；出力トランジスタＴｒのゲート電圧Ｓａが所定の閾値電圧Ｖｔｈまで低下したか否かを検出する検出部２３と；検出部２３の比較結果信号Ｓｂに基づいてチャージポンプ２２の昇圧倍率を切り替えるステート制御部２４と；を有して成る構成とされている。
【００４９】
このような構成とすることにより、入力電圧Ｖｉｎと出力電圧Ｖｏｕｔとの比に基づいてチャージポンプ１０２のステート制御を行っていた従来構成（図３を参照）と異なり、ステート段数に応じた第１〜第ｎ検出部１０３−１〜１０３ｎを要することなく、単一の検出部２３を用いて、小規模な回路構成でありながら、適切にチャージポンプ２２のステート制御を行うことが可能となる。なお、本発明で新設されたステート制御部２４は、簡単なロジック回路で構成することができるので、トータル的にも回路規模を縮小することができ、延いては、ＬＥＤドライバＩＣ２のコストダウンに貢献することが可能となる。
【００５０】
また、本実施形態のＬＥＤドライバＩＣ２において、アンプＡＭＰへの帰還電圧Ｖｆｂは、出力電圧Ｖｏｕｔではなく、ＬＥＤ３１〜３ｎのカソード端子電圧Ｖｃ１〜Ｖｃｎのうち、最も電圧値の低いものとされている。このような構成とすることにより、実際に接続されているＬＥＤ３１〜３ｎのうち、最も順方向降下電圧Ｖｆが大きいものを支障なく駆動するために最適な出力電圧Ｖｏｕｔを生成することができるので、出力電圧Ｖｏｕｔの不要なマージンを低減して、効率を向上することが可能となり、延いては、ＬＥＤドライバＩＣ２を備えた照明装置及び表示装置の消費電力低減に貢献することが可能となる。
【００５１】
特に、ＰＤＡ［Personal Digital/Data Assistant］や携帯電話端末などの電子機器に搭載され、機器電源１としてバッテリを用いる照明装置に本発明を適用すれば、電子機器のバッテリ駆動時間を延ばすことができるだけでなく、電子機器の軽薄化や小型化にも貢献することができる。
【００５２】
なお、上記の実施形態では、本発明を透過型液晶表示装置に適用した場合を例示して説明を行ったが、本発明の適用対象はこれに限定されるものではなく、その他の電源装置、照明装置、或いは、表示装置にも広く適用することが可能である。
【００５３】
また、本発明の構成は、上記実施形態のほか、発明の主旨を逸脱しない範囲で種々の変更を加えることが可能である。
【００５４】
例えば、上記の実施形態では、赤色光、緑色光、青色光を混合して白色光を生成するＬＥＤを例に挙げて説明を行ったが、本発明の適用対象はこれに限定されるものではなく、その他の発色光を混合して所望の発色光を出射するＬＥＤや、単色光を出射するＬＥＤを用いた構成についても、当然に本発明を適用することが可能である。
【産業上の利用可能性】
【００５５】
本発明は、チャージポンプを備えた電源装置の小型化や効率向上に有用な技術であり、延いては、これを用いたＬＥＤ駆動装置、照明装置、及び、表示装置の小型化や消費電力低減に資するものである。なお、本発明に係るＬＥＤ駆動装置及び照明装置は、例えば、液晶ディスプレイのバックライトシステムを構築する際に利用可能であり、また、これを備えた表示装置としては、液晶テレビジョン受像装置や、ＰＤＡの液晶ディスプレイ、或いは、携帯電話機の液晶ディスプレイなどを挙げることができる。
【図面の簡単な説明】
【００５６】
【図１】は、本発明に係る表示装置の一実施形態を示すブロック図である。
【図２】は、本実施形態のステート制御動作を示すタイミングチャートである。
【図３】は、ＬＥＤドライバの一従来例を示すブロック図である。
【符号の説明】
【００５７】
１    機器電源（バッテリ）
２    ＬＥＤドライバＩＣ
３    発光部
４    導光路
５    液晶ディスプレイパネル（ＬＣＤパネル）
２１    レギュレータ
２２    チャージポンプ
２３    検出部
２４    ステート制御部
２５    駆動電流生成部
３１〜３ｎ    発光ダイオード
ＡＭＰ    アンプ
Ｔｒ    出力トランジスタ（Ｐチャネル電界効果型トランジスタ）
ＣＭＰ    コンパレータ
Ｉ１〜Ｉｎ    定電流源
【図１】
2007295775.tif 000003
【図２】
2007295775.tif 000004
【図３】
2007295775.tif 000005